(57)【要約】【課題】構造が至って簡単でありながら、確実にガス抜き孔を開けることができ、孔を開ける部分が噴射容器の底壁であるにもかかわらず、糸底が犠牲にならない残留ガス抜き装置付き噴射容器を提供する。【解決手段】筒体の下端に湾曲した底壁を加締めにより組み合わせ、加締めにより形成される糸底の内側に湾曲凹部を有するガスの噴射容器において、湾曲凹部にレバーを伏して内装するとともに、その先端をビレットにより底壁に止め、その底壁に、レバーの引き起しの力により一部を開口できるように、開口する力が加わる作用点を囲む切込みを形成した。【選択図】　　図１
2004142744.tif 000002
【特許請求の範囲】
【請求項１】
筒体の下端に湾曲した底壁を加締めにより組み合わせ、加締めにより形成される糸底の内側に湾曲凹部を有するガスの噴射容器において、湾曲凹部にレバーを伏して内装するとともに、その先端をリベットにより底壁に止め、その底壁に、レバーの引き起しの力により一部を開口できるように、開口する力が加わる作用点を囲む切込みを形成したことを特徴とする残留ガス抜き装置付き噴射容器。
【請求項２】
レバーの作用点がリベットの箇所となるように、リベットを囲むように切込みの形成がなされていることを特徴とする請求項１記載の残留ガス抜き装置付き噴射容器。
【請求項３】
レバーの作用点がその先端となるように、その先端を囲むように切込みの形成がなされていることを特徴とする請求項１記載の残留ガス抜き装置付き噴射容器。
【請求項４】
筒体の下端に湾曲した底壁を加締めにより組み合わせ、加締めにより形成される糸底の内側に湾曲凹部を有するガスの噴射容器において、湾曲凹部の底壁にガス抜き孔を穿孔し、湾曲凹部にレバーを伏して内装するとともに、その先端部をガス抜き孔を塞ぐリベットにより底壁に止めてあって、レバー操作によりそれをリベットから引き抜くことによりリベットがガス抜き孔から抜けて噴射容器内に落下し得るようにしたことを特徴とする残留ガス抜き装置付き噴射容器。
【請求項５】
筒体の下端に湾曲した底壁を加締めにより組み合わせ、加締めにより形成される糸底の内側に湾曲凹部を有するガスの噴射容器において、湾曲凹部の底壁にガス抜き孔を穿孔し、湾曲凹部にレバーを伏して内装するとともに、その先端部をガス抜き孔を塞ぐリベットにより底壁に止めてあって、レバー操作によりリベットをガス抜き孔から引き抜き得るようにしたことを特徴とする残留ガス抜き装置付き噴射容器。
【発明の詳細な説明】
【０００１】
【発明の属する技術分野】
この発明は、殺虫剤や化粧品、消臭剤、塗料等を噴霧するスプレー缶、或いは、カセットコンロに装填するガスボンベ等のガス噴射容器において、使用済みとなったときにガス抜き孔を開けるための残留ガス抜き装置付き噴射容器に関する。
【０００２】
【従来の技術】
上記のようなスプレー缶やガスボンベにおいてガスの噴出が望めなく廃棄される状態になっても、液化ガスが僅かながら残留しているので、そのまま廃棄すると、ゴミとして処分する作業中に不用意な噴出があったりガス爆発を起こす危険があり、また、自然環境にも悪影響を及ぼすことになるため、従来から、回収する自治体においては、廃棄する前に穴を開けて残留ガスを取り除くことを要望している。
【０００３】
噴射容器に穴を開けるために身近にある釘や鋭利な刃物を使用して、噴射容器の側壁に打ち込むとすれば、その外面が湾曲しているので滑りやすく、底壁であると、逆さに立てた不安定な状態で打ち込む力を加え難く、また、いずれにしても危険な作業となることから、例えば、缶を横倒しに保持するホルダーに穿孔突起を起立して設け、足踏みにより穿孔突起に缶の側壁を押圧することにより孔を開けるようにした特殊な器具が提供される。
【０００４】
しかし、このような特殊な器具は、各家庭において頻繁に使用するものではなく、一個の噴射容器が使い捨てにされるまでは仕舞われるので、仕舞ったり取り出したりする不便さがあるだけでなく、仕舞った場所を忘れてしまうことがある等の不都合があるので、残留ガス抜き装置付き噴射容器の提案がなされる（特開２０００−２７４５９６号公報）。
【０００５】
【発明が解決しようとする課題】
一般的に、噴射容器は、本体としての筒体の下端に底壁が加締めにより一体化されたもので、耐圧のために底壁が湾曲した凹面に形成されているため、加締めによる糸底の内側が湾曲凹部となっている。そこで、上記公報記載の残留ガス抜き装置付き噴射容器は、この湾曲凹部を利用しここに残留ガス抜き装置を納めたものであるが、装置取付けのため、加締めによる糸底の外面の段部に装置基板を引っ掛けられるため、装置を始めから取り付けてあると、糸底が犠牲となり噴射容器を安定して立てられなくなるという問題があった。
【０００６】
また、残留ガス抜き装置の構造については、装置基板の中央部に押し軸としての内筒が納まる案内筒が固着され、案内筒の先端面壁の中央に穿孔突起が突出し得るよう抜け穴が設けられ、その先端面壁と内筒との間に、穿孔突起付きのキャップ状部材とそれを後退方向に付勢するコイルばねとが介在される。そこで、内筒の基端の押し板をコイルばねの弾力に抗して押すと、穿孔突起が抜け穴より突出して、噴射容器の底壁の中央に孔が開けられる。この他、湾曲凹部に納まるように工夫があり、構造が非常に複雑であり、コスト高となることは避けられなく、また、噴射容器の底壁が耐圧上頑丈であることから、穿孔突起では容易に孔を開けることができなかった。
【０００７】
この発明は、上記のような実情に鑑みて、構造が至って簡単でありながら、確実にガス抜き孔を開けることができ、孔を開ける部分が噴射容器の底壁であるにもかかわらず、糸底が犠牲にならない残留ガス抜き装置付き噴射容器を提供することを目的とした。
【０００８】
【課題を解決するための手段】
上記の目的を達成するために、この発明は、筒体の下端に湾曲した底壁を加締めにより組み合わせ、加締めにより形成される糸底の内側に湾曲凹部を有するガスの噴射容器において、湾曲凹部にレバーを伏して内装するとともに、その先端をリベットにより底壁に止め、その底壁に、レバーの引き起しの力により一部を開口できるように、開口する力が加わる作用点を囲む切込みを形成したことを特徴とする残留ガス抜き装置付き噴射容器を提供するものである（請求項１）。
【０００９】
【作用】
残留ガス抜き装置付き噴射容器を上記のように構成したので、レバーを引き起こすと、その作用点に力が加わることにより、底壁のうち、切込みで囲まれる箇所が、上に引き出され、若しくは下に押し出されることによりガス抜き孔が開口する。
【００１０】
また、この発明は、筒体の下端に湾曲した底壁を加締めにより組み合わせ、加締めにより形成される糸底の内側に湾曲凹部を有するガスの噴射容器において、湾曲凹部の底壁にガス抜き孔を穿孔し、湾曲凹部にレバーを伏して内装するとともに、その先端部をガス抜き孔を塞ぐリベットにより底壁に止めてあって、レバー操作により、
▲１▼　レバーをリベットから引き抜くことによりリベットがガス抜き孔から抜けて噴射容器内に落下し得るようにした（請求項４）、または、
▲２▼　リベットをガス抜き孔から引き抜き得るようにした（請求項５）、
残留ガス抜き装置付き噴射容器を提供する。
【００１１】
【作用】
残留ガス抜き装置付き噴射容器を上記のように構成したから、請求項４の場合であると、レバー操作によりリベットの止めが解除されるので、それを下へ押し込んで中へ落下させ、請求項５の場合であると、リベットがガス抜き孔から上に抜かれて、それぞれガス抜き孔から残留ガスが排出される。
【００１２】
【発明の実施の形態】
この発明は、噴射容器Ｐの底壁３にレバー１３を先端近くでリベット１５で止めることにより残留ガス抜き装置Ｔを構成するもので、レバー１３の作用点ｃは、リベット１５の箇所であるときと（請求項２，４，５）、レバー１３の先端であるとき（請求項３）とがあり、請求項１〜３では、作用点ｃの箇所でガス抜き孔１９が開口されるように、それを囲む切込み１７が形成される。この切込み１７の形状については、Ｕ字形、Ｖ字形、Ω形、く字形、アーチ形等が考えられる。そして、この切込み１７の範囲から外れた箇所がレバー１３を支持可能な支点ｂとなる。しかし、請求項４及び５では、リベット１５の抜け孔がガス抜き孔１９となるので、この切込み１７が不要である。
【００１３】
レバー１３の長さについては、図示のように、直径に近く長めに形成しても良いし、半径近くに短く形成しても良い。半径近い長さであるときには、底壁３の中心にリベット１５で止めることができる。いずれにしても、残留ガス抜き装置Ｔの全体、つまりはレバー１３が湾曲凹部７に納まるために、周囲の糸底５で噴射容器Ｐを安定して立てておくことができる。
【００１４】
レバー１３を底壁３に止めるリベット１５については、必ずしも別部材としてのリベットであることを要しなく、レバー１３に細孔を設け、底壁３の一部をその細孔に打ち込んでリベットを形成しても良い。また、請求項１ないし３では、その発明の趣旨から溶接によりレバー１３を止める場合を除外するものでもない。
【００１５】
加えて、請求項１ないし３の場合、ガス抜き孔１９の大きさについては、残留ガスが徐々に抜けるだけで良いので、大きく開ける必要は全くなく、耐ガス圧との関係から、切込み１７に囲まれる範囲を極力小さくする必要がある。また、梃子の倍力で強力にガス抜き孔１９を開けうるので、切込み１７を深く形成することを要しなく、そして、切込み１７に囲まれる範囲を小さくしてガス圧に確実に耐えるものとすることができる。
【００１６】
【発明の効果】
以上説明したように、この発明の残留ガス抜き装置付き噴射容器によれば、残留ガス抜き装置が梃子の原理により構造が至って簡単であるので、噴射容器の安価な提供に適し、しかも、梃子の倍力で容易且つ確実にガス抜き孔を開けることができ、また、底部に有する湾曲凹部に残留ガス抜き装置の全体が余裕を以て納まるので、糸底で安定して噴射容器を立てておくことができる等の優れた効果がある。
【００１７】
【実施例】
次に、この発明の実施例を図面に基づいて説明する。
【００１８】
図１ないし図６は、請求項１（および請求項２）の発明について、スプレー缶Ｐについて実施した一例を示すが、カセットコンロのガスボンベについても同様に実施できる。そのスプレー缶Ｐは、筒体１の下端が凹面に湾曲した底壁３で封じられ、その取付けのため加締めによる糸底５が周囲に形成され、糸底５に囲まれる湾曲凹部７に残留ガス抜き装置Ｔが内装される。なお、図１において、９はスプレー押しボタンであって、それにノズル１１が設けられる。
【００１９】
残留ガス抜き装置Ｔは、底壁３に対してレバー１３を先端近くでリベット１５で止め、底壁３にはリベット１５を囲むＶ字形の線形に切込み１７が形成してある。したがって、レバー１３を引き起こすと（図４）、基端が力点ａ、先端が支点ｂ、リベット１５で止めた箇所が作用点ｃとなり、切込み１７で囲まれる部分がリベット１５で引き上げられてガス抜き孔１９が開口されることになる。
【００２０】
レバー１３は、曲がりがたくするため鋼鉄板で形成され、また、力を加えやすく出来るだけ長く形成したため、底壁３の直径近くの長さに伏せてあって、リベット１５で止める先端部２１が底壁３の傾斜に沿って屈折され、また、基端には指掛けやすく反り部２３を形成するとともに孔２５が設けてある。
【００２１】
図７は請求項１（および請求項３）の発明についての一実施例を示したもので、レバー１３についてリベット１５の箇所を支点ｂ、先端を作用点ｃとしたもので、その作用点ｃが囲まれるように、底壁３にＵターン形の切込み１７が形成される。また、レバー１３について、先端が細く作用点ｃとなるように、リベット１５の位置から先にゆくにつれて幅狭く形成してある。なお、この場合は切込み１７で囲まれる範囲が下へ打ち抜かれる。
【００２２】
図８および図９は、請求項４に記載された発明の一実施例を示したもので、噴射容器Ｐの湾曲凹部７には、底壁３の中央にガス抜き孔１９を穿孔してあって、それにリベット１５を下から通してレバー１３の先端近くをリベット１５により止めてある。リベット１５は、アルミ製の段付きリベット（２段リベット）であって、頭部２７が底壁３の裏側に位置しているので、細い先端の加締部２９がレバー１３の止め孔３１に掛かっている（図８）。そこで、レバー１３を引き上げると（図９）、それがリベット１５から外れ加締めが解除されるので、リベット１５を押し込んで中に落下させガス抜き孔１９を開けることができる。なお、この実施例では、リベット１５の頭部２７と底壁３との間に座ゴム３３を介在させ、ガスが漏れないように気密性を確保してある。
【００２３】
図１０および図１１は、請求項５に記載された発明の一実施例を示したもので、この場合であると、リベット１５の頭部２７がレバー１３に掛かっており、先端の加締部２９が湾曲凹部７の底壁３にガス抜き孔１９で掛かっているため（図１０）、レバー１３を引き上げると、リベット１５が底壁３から引き抜かれて、そこにガス抜き孔１９が開口する（図１１）。
【図面の簡単な説明】
【図１】請求項１の発明に係る残留ガス抜き装置付き噴射容器を示す斜視図である。
【図２】同残留ガス抜き装置を示すよう噴射容器の底部を逆さに見た斜視図である。
【図３】図２のＡ−Ａ線矢視の断面図である。
【図４】同矢視においてガス抜き孔を開口した状態を示す断面図である。
【図５】同噴射容器の底壁に形成した切込みの形態を示す底面図である。
【図６】切込みの形成状態の一例を示す底壁の断面図である。
【図７】他の実施例を示す図５に対応する底面図である。
【図８】請求項４の発明に係る残留ガス抜き装置をレバーの縦方向から見た要部拡大断面図である。
【図９】同残留ガス抜き装置においてガス抜き孔が開口した時の噴射容器の底部をレバーの側面から見た断面図である。
【図１０】請求項５の発明に係る残留ガス抜き装置をレバーの縦方向から見た要部拡大断面図である。
【図１１】同残留ガス抜き装置においてガス抜き孔が開口した時の噴射容器の底部をレバーの側面から見た断面図である。
【符号の説明】
Ｐ　噴射容器
Ｔ　残留ガス抜き装置
１　筒体
３　底壁
５　糸底
７　湾曲凹部
１３　レバー
１５　ビレット
１７　切込み
１９　ガス抜き孔
【図１】
2004142744.tif 000003
【図２】
2004142744.tif 000004
【図３】
2004142744.tif 000005
【図４】
2004142744.tif 000006
【図５】
2004142744.tif 000007
【図６】
2004142744.tif 000008
【図７】
2004142744.tif 000009
【図８】
2004142744.tif 000010
【図９】
2004142744.tif 000011
【図１０】
2004142744.tif 000012
【図１１】
2004142744.tif 000013